(57)【要約】【課題】微細な水滴によって水滴感を伴わずにサウナ対象室１０３を加湿することによって、使用者が水滴感を感じずにサウナ対象室１０３内で快適に過ごすことができるとともに、ミストによって使用者が視界を遮られることなく、サウナ対象室１０３内で映像や読書を楽しむことができるサウナ装置を提供する。【解決手段】サウナ対象室１０３の空気を循環させる循環手段１と、供給水を微細な水滴に破砕する水破砕手段２と、水破砕手段２に供給される供給水を加熱する水加熱手段３とを備え、水加熱手段３によって加熱した供給水を水破砕手段２において破砕することにより高温の微細水滴を発生させ、この高温の微細水滴を循環手段１によって循環する空気に含ませてサウナ対象室１０３に供給することにより、水滴感や冷風感を伴わずにサウナ対象室１０３を加湿する。【選択図】図１
2006025964.tif 000002
【特許請求の範囲】
【請求項１】
サウナ対象室１０３の空気を循環させる循環手段１と、供給水を微細な水滴に破砕する水破砕手段２とを備え、前記水破砕手段２で発生した微細水滴を、前記循環手段１によって循環するサウナ対象室１０３の空気に含ませることによりサウナ対象室１０３を加湿することを特徴とするサウナ装置。
【請求項２】
水破砕手段２を、供給水をミスト状に噴出するミスト噴出手段１１０と、前記ミスト噴出手段１１０が噴出したミストを更に細かく破砕するミスト破砕手段５とを備えた構成としたことを特徴とする請求項１記載のサウナ装置。
【請求項３】
循環手段１を、回転により空気を送風する循環ファン１０６を備えた構成とし、ミスト破砕手段５を、前記循環ファン１０６にミスト噴出手段１１０から噴出したミストを衝突させることによってミストを破砕する構成としたことを特徴とする請求項２記載のサウナ装置。
【請求項４】
ミスト噴出手段１１０を、循環ファン１０６の吸込口に向けてミストを噴出する構成としたことを特徴とする請求項３記載のサウナ装置。
【請求項５】
ミスト噴出手段１１０を、循環ファン１０６の翼面外周に向けてミストを噴出する構成としたことを特徴とする請求項３記載のサウナ装置。
【請求項６】
循環手段１により循環する空気を加熱する空気加熱手段１０７を備えた構成としたことを特徴とする請求項１、２、３、４または５記載のサウナ装置。
【請求項７】
水破砕手段２に供給される供給水を加熱する水加熱手段３を備えた構成としたことを特徴とする請求項１、２、３、４、５または６記載のサウナ装置。
【請求項８】
循環手段１により循環する空気を加熱する空気加熱手段１０７と、水破砕手段２に供給される供給水を加熱する水加熱手段３とを備え、前記空気加熱手段１０７および前記水加熱手段３を、温水を熱媒として加熱作用を行う構成としたことを特徴とする請求項１、２、３、４または５記載のサウナ装置。
【請求項９】
空気加熱手段１０７および水加熱手段３の熱媒である温水が、前記空気加熱手段１０７、前記水加熱手段３の順に循環する構成としたことを特徴とする請求項８記載のサウナ装置。
【請求項１０】
空気加熱手段１０７および水加熱手段３の熱媒である温水が、前記水加熱手段３、前記空気加熱手段１０７の順に循環する構成としたことを特徴とする請求項８記載のサウナ装置。
【請求項１１】
空気加熱手段１０７および水加熱手段３の熱媒である温水が、前記空気加熱手段１０７と前記水加熱手段３の各々に分流して循環する構成としたことを特徴とする請求項８記載のサウナ装置。
【請求項１２】
循環手段１により循環する空気が、水破砕手段２において発生する微細水滴を含む前に、空気加熱手段１０７により加熱される構成としたことを特徴とする請求項６、８、９、１０または１１記載のサウナ装置。
【請求項１３】
循環手段１により循環する空気が、水破砕手段２において発生する微細水滴を含んだ後に、空気加熱手段１０７により加熱される構成としたことを特徴とする請求項６、８、９、１０または１１記載のサウナ装置。
【発明の詳細な説明】
【技術分野】
【０００１】
本発明は、サウナ対象室を加湿することにより、サウナ空間を得るサウナ装置に関する。
【背景技術】
【０００２】
従来のサウナ装置としては、ミスト噴出手段に温水を供給してサウナ対象室を加湿するものがある（例えば、特許文献１参照）。
以下、そのサウナ装置について図４を参照しながら説明する。
【０００３】
図４に示すように、サウナ装置の本体１０１内に、吸気口１０２を通してサウナ対象室１０３内の空気を吸引し、吹出口１０４を通して空気を吹出すための循環風路１０５、その循環風路１０５に通風作用を行う循環ファン１０６、循環風路１０５を通風する空気に対して加熱作用する空気加熱手段１０７としての熱交換器１０８、その熱交換器１０８に温水の供給を断続する熱動弁１０９、ミスト噴出手段１１０としての噴出ノズル１１１、噴出ノズル１１１に温水を供給するための温水供給路１１２および噴出ノズル１１１への温水の供給を断続する電磁弁１１３等を備えている。そして、温水供給路１１２を通じて供給される温水をミストとして噴出ノズル１１１から噴出させるとともに、循環ファン１０６を作動させ、サウナ対象室１０３内の温度が設定温度に維持されるように、熱動弁１０９の開閉を制御して熱交換器１０８に熱媒としての温水を循環供給し、この熱交換器１０８により加熱された循環空気を吹出口１０４からサウナ対象室１０３内に吹出すことによって高温高湿のサウナ空間を得るようにしている。
【特許文献１】特開２００２−３３６３２７号公報（第３−７頁、第１−５図）
【発明の開示】
【発明が解決しようとする課題】
【０００４】
以上の例では、温水供給路１１２からの温水を噴出ノズル１１１においてミスト状にしてサウナ対象室１０３内に供給することにより、サウナ対象室１０３内を加湿するようにしている。しかしながら噴出ノズル１１１からサウナ対象室１０３にミストが直接噴出される構成のため、噴出したミストが使用者の外皮に接触して水滴となり、使用者が不快感を感じるという問題や、噴出したミストによって使用者の視界が遮られて、使用者がサウナ対象室１０３内で映像や読書を楽しむことができないという問題があった。
【０００５】
本発明は上記課題を解決するものであり、微細な水滴によって水滴感を伴わずにサウナ対象室１０３を加湿することによって、使用者が水滴感を感じずにサウナ対象室１０３内で快適に過ごすことができるとともに、ミストによって使用者が視界を遮られることなく、サウナ対象室１０３内で映像や読書を楽しむことができるサウナ装置を提供することを目的としている。
【課題を解決するための手段】
【０００６】
上記した目的を達成するために、本発明が講じた第１の課題解決手段は、サウナ対象室１０３の空気を循環させる循環手段１と、供給水を微細な水滴に破砕する水破砕手段２とを備え、前記水破砕手段２で発生した微細水滴を、前記循環手段１によって循環するサウナ対象室１０３の空気に含ませることによりサウナ対象室１０３を加湿するものである。
【０００７】
この手段では、水破砕手段２が供給水を破砕して微細な水滴を発生させる。そして循環手段１がサウナ対象室１０３の空気を水破砕手段２に供給する。これにより微細水滴がサウナ対象室１０３の空気に混入してサウナ対象室１０３に供給される。したがってサウナ対象室の湿度が上昇し、微細水滴による水滴感のない加湿が行われることになる。
【０００８】
また、本発明が講じた第２の課題解決手段は、上記第１の課題解決手段において、水破砕手段２を、供給水をミスト状に噴出するミスト噴出手段１１０と、前記ミスト噴出手段１１０が噴出したミストを更に細かく破砕するミスト破砕手段５とを備えた構成としたものである。
【０００９】
この手段では、水破砕手段２として、ミスト噴出手段１１０とミスト破砕手段５が設けられる。そしてミスト噴出手段が供給水をミスト状に噴出し、ミスト噴出手段１１０が噴出したミストをミスト破砕手段５によって更に細かく破砕する。この破砕作用によって微細な水滴が発生することになる。
【００１０】
また、本発明が講じた第３の課題解決手段は、上記第２の課題解決手段において、循環手段１を、回転により空気を送風する循環ファン１０６を備えた構成とし、ミスト破砕手段５を、前記循環ファン１０６にミスト噴出手段１１０から噴出したミストを衝突させることによってミストを破砕する構成としたものである。
【００１１】
この手段では、ミスト噴出手段１１０が循環手段１の循環ファン１０６に向けてミストを噴出する。循環ファン１０６は送風のために回転しているので、循環ファン１０６に接触したミストは、この回転により強制的に細かく破砕される。この強制破砕作用によって更に細かな微細水滴が発生し、発生した微細水滴は循環ファン１０６によって送風される空気に含まれてサウナ対象室１０３に供給されることになる。
【００１２】
また、本発明が講じた第４の課題解決手段は、上記第３の課題解決手段において、ミスト噴出手段１１０を、循環ファン１０６の吸込口に向けてミストを噴出する構成としたものである。
【００１３】
この手段では、ミスト噴出手段１１０が循環ファン１０６の吸込口に向けてミストを噴出する。これにより循環ファン１０６の送風方向に沿ってミストが移動し、その過程においてミストが破砕されるので、ミストの衝突に伴う循環ファン１０６の送風抵抗が減少することになる。
【００１４】
また、本発明が講じた第５の課題解決手段は、上記第３の課題解決手段において、ミスト噴出手段１１０を、循環ファン１０６の翼面外周に向けてミストを噴出する構成としたものである。
【００１５】
この手段では、ミスト噴出手段１１０が循環ファン１０６の翼面外周に向けてミストを噴出する。これにより回転している循環ファン１０６の翼面にミストが直接衝突するので、ミストがより細かく破砕されることになる。
【００１６】
また、本発明が講じた第６の課題解決手段は、上記第１、第２、第３、第４または第５の課題解決手段において、循環手段１により循環する空気を加熱する空気加熱手段１０７を備えた構成としたものである。
【００１７】
この手段では、空気加熱手段１０７が循環手段１によって循環している空気を加熱する。この空気加熱手段１０７で加熱された空気がサウナ対象室１０３に供給されるので、サウナ対象室１０３の温度が上昇する。これにより、サウナ対象室１０３の加熱と水滴感のない加湿が同時に行われることになる。
【００１８】
また、本発明が講じた第７の課題解決手段は、上記第１、第２、第３、第４、第５または第６の課題解決手段において、水破砕手段２に供給される供給水を加熱する水加熱手段３を備えた構成としたものである。
【００１９】
この手段では、水加熱手段３が水破砕手段２に供給される供給水を加熱する。水破砕手段２は、この加熱された供給水を破砕して高温の微細水滴を発生させる。この高温の微細水滴が循環手段１によってサウナ対象室１０３に供給されるので、水滴感および冷風感のない加湿が行われることになる。
【００２０】
また、本発明が講じた第８の課題解決手段は、上記第１、第２、第３、第４または第５の課題解決手段において、循環手段１により循環する空気を加熱する空気加熱手段１０７と、水破砕手段２に供給される供給水を加熱する水加熱手段３とを備え、前記空気加熱手段１０７および前記水加熱手段３を、温水を熱媒として加熱作用を行う構成としたものである。
【００２１】
この手段では、空気加熱手段１０７が温水を熱媒として循環手段１によって循環している空気を加熱するとともに、水加熱手段３が同様に温水を熱媒として水破砕手段２に供給される供給水を加熱する。そして空気加熱手段１０７で加熱されるとともに、水破砕手段２で発生した高温の微細水滴を含んだ高温高湿の空気がサウナ対象室１０３に供給される。これによりサウナ対象室１０３の加熱と水滴感および冷風感のない加湿が温水という単一の熱媒回路によって同時に行われることになる。
【００２２】
また、本発明が講じた第９の課題解決手段は、上記第８の課題解決手段において、空気加熱手段１０７および水加熱手段３の熱媒である温水が、前記空気加熱手段１０７、前記水加熱手段３の順に循環する構成としたものである。
【００２３】
この手段では、熱媒である温水が空気加熱手段１０７において循環手段１によって循環している空気を加熱した後で、水加熱手段３において供給水を加熱する。これにより単一の温水循環回路において、循環手段１によって循環している空気の加熱と水破砕手段２に供給される供給水の加熱が同時に行われ、さらに循環している空気を加熱する温水温度が供給水を加熱する温水温度より高くなるので、循環している空気がより高温に加熱され、サウナ対象室１０３の加熱効果が高まることになる。
【００２４】
また、本発明が講じた第１０の課題解決手段は、上記第８の課題解決手段において、空気加熱手段１０７および水加熱手段３の熱媒である温水が、前記水加熱手段３、前記空気加熱手段１０７の順に循環する構成としたものである。
【００２５】
この手段では、熱媒である温水が水加熱手段３において供給水を加熱した後で、空気加熱手段１０７において循環手段１により循環している空気を加熱する。これにより単一の温水循環回路において、循環手段１によって循環している空気の加熱と水破砕手段２に供給される供給水の加熱が同時に行われ、さらに供給水を加熱する温水温度が循環している空気を加熱する温水温度より高くなるので、供給水がより高温に加熱され、サウナ対象室１０３の加湿に伴う冷風感の抑制効果が高まることになる。
【００２６】
また、本発明が講じた第１１の課題解決手段は、上記第８の課題解決手段において、空気加熱手段１０７および水加熱手段３の熱媒である温水が、前記空気加熱手段１０７と前記水加熱手段３の各々に分流して循環する構成としたものである。
【００２７】
この手段では、熱媒である温水が空気加熱手段１０７と水加熱手段３とに分流して、循環手段１によって循環している空気の加熱と水破砕手段２に供給される供給水の加熱を各々行う。これにより、各々の加熱量の調整、すなわち温水の分流度合いの調整や温水供給の断続が容易となる。
【００２８】
また、本発明が講じた第１２の課題解決手段は、上記第６、第８、第９、第１０または第１１の課題解決手段において、循環手段１により循環する空気が水破砕手段２において発生する微細水滴を含む前に、空気加熱手段１０７により加熱される構成としたものである。
【００２９】
この手段では、循環手段１によって循環するサウナ対象室１０３の空気が、まず空気加熱手段１０７において加熱される。この加熱によって循環空気は高温となり飽和水蒸気分圧が上昇する。この飽和水蒸気分圧の上昇によって水分をより多く含める状態となった循環空気が水破砕手段２に供給される。これにより循環空気中に微細水滴がより多く含まれて加湿量が増加することになる。
【００３０】
また、本発明が講じた第１３の課題解決手段は、上記第６、第８、第９、第１０または第１１の課題解決手段において、循環手段１により循環する空気が水破砕手段２において発生する微細水滴を含んだ後に、空気加熱手段１０７により加熱される構成としたものである。
【００３１】
この手段では、循環手段１によって循環するサウナ対象室１０３の空気が、まず水破砕手段２において微細水滴を含むことにより加湿される。この加湿によって高湿となった循環空気が次に空気加熱手段１０７において加熱される。この加熱によって循環空気の温度が上昇して露点温度との差が拡大する。これにより循環空気の結露が抑制されるので微細水滴がサウナ対象室１０３の加湿に有効に使用されることになる。
【発明の効果】
【００３２】
本願発明は、かかる構成とすることにより以下に記載されるような効果を奏するものである。
【００３３】
（イ）本願の第１の発明にかかるサウナ装置によれば、水破砕手段２が供給水を破砕することによって発生した微細水滴を、循環手段１により循環するサウナ対象室１０３の空気に含ませることによって、水滴感を伴わずにサウナ対象室１０３を加湿することができる。これにより使用者が水滴感を感じずにサウナ対象室１０３内で快適に過ごすことができ、また、ミストによって使用者の視界が遮られることがないので、使用者がサウナ対象室１０３内で映像や読書を楽しむことができる。
【００３４】
（ロ）また、本願の第２の発明にかかるサウナ装置によれば、上記（イ）に記載した効果に加えて、ミスト噴出手段１１０が噴出したミストをミスト破砕手段５で更に細かく破砕することによって微細水滴を発生させることができる。これにより水破砕手段２をミスト噴出手段１１０とミスト破砕手段５による簡略な構成とすることができる。
【００３５】
（ハ）また、本願の第３の発明にかかるサウナ装置によれば、上記（ロ）に記載した効果に加えて、ミスト噴出手段１１０が循環手段１の循環ファン１０６に向けてミストを噴出することによって、循環ファン１０６の回転によりミストを強制的に破砕し、更に細かな微細水滴を発生させることができる。これによりサウナ対象室１０３に細かな微細水滴を供給して水滴感なく加湿することができるとともに、サウナ対象室１０３の空気を循環させる循環手段１の一部を利用して水破砕手段２を構成できるため、装置を小型化することができる。
【００３６】
（二）また、本願の第４の発明にかかるサウナ装置によれば、上記（ハ）に記載した効果に加えて、循環ファン１０６の吸込口に向けてミストを噴出することによって、循環ファン１０６の送風方向に沿ってミストを移動させ、ミストの衝突に伴う循環ファン１０６の送風抵抗を減少することができる。これにより、循環ファン１０６の動力が増加するのを抑制して消費電力を削減することができる。
【００３７】
（ホ）また、本願の第５の発明にかかるサウナ装置によれば、上記（ハ）に記載した効果に加えて、循環ファン１０６の翼面外周に向けてミストを噴出することによって、循環ファン１０６の回転翼面にミストを直接衝突させて、より細かくミストを破砕することができる。これにより微細水滴をより細かくして水滴感を更に抑えることができる。
【００３８】
（ヘ）また、本願の第６の発明にかかるサウナ装置によれば、上記（イ）、（ロ）、（ハ）、（ニ）または（ホ）に記載した効果に加えて、循環手段１によって循環しているサウナ対象室１０３の空気を空気加熱手段１０７で加熱することによって、水滴感を伴わずにサウナ対象室１０３を加湿するとともに加熱することができる。これにより、サウナ対象室１０３を水滴感の少ない高温高湿のサウナ空間とすることができる。
【００３９】
（ト）また、本願の第７の発明にかかるサウナ装置によれば、上記（イ）、（ロ）、（ハ）、（ニ）、（ホ）または（ヘ）に記載した効果に加えて、水破砕手段２に供給される供給水を水加熱手段３で加熱することによって、水破砕手段２において高温の微細水滴を発生させることができる。これによりサウナ対象室１０３を水滴感および冷風感を伴わずに加湿することができる。
【００４０】
（チ）また、本願の第８の発明にかかるサウナ装置によれば、上記（イ）、（ロ）、（ハ）、（ニ）または（ホ）に記載した効果に加えて、循環手段１によって循環しているサウナ対象室１０３の空気を空気加熱手段１０７で加熱することによりサウナ対象室１０３を加熱するとともに、水破砕手段２に供給される供給水を水加熱手段３で加熱することによって、水破砕手段２において高温の微細水滴を発生させて水滴感および冷風感を伴わずにサウナ対象室１０３を加湿することができる。さらに空気加熱手段１０７および水加熱手段３を、温水を熱媒として加熱を行う構成とすることによって、加熱作用を単一の熱媒回路により行うことが可能となり、構成を簡略化することができる。
【００４１】
（リ）また、本願の第９の発明にかかるサウナ装置によれば、上記（チ）に記載した効果に加えて、熱媒である温水を空気加熱手段１０７、水加熱手段３の順に循環させることによって、単一の温水循環回路という簡易な構成において、循環手段１によって循環する空気の加熱と水破砕手段２に供給される供給水の加熱を行うことができる。さらに循環している空気をより高温に加熱することが可能となり、サウナ対象室１０３の加熱効果を高めることができる。
【００４２】
（ヌ）また、本願の第１０の発明にかかるサウナ装置によれば、上記（チ）に記載した効果に加えて、熱媒である温水を水加熱手段３、空気加熱手段１０７の順に循環させることによって、単一の温水循環回路という簡易な構成において、水破砕手段２に供給される供給水の加熱と循環手段１によって循環する空気の加熱を行うことができる。さらに供給水をより高温に加熱することが可能となり、サウナ対象室１０３の加湿に伴う冷風感の抑制効果を高めることができる。
【００４３】
（ル）また、本願の第１１の発明にかかるサウナ装置によれば、上記（チ）に記載した効果に加えて、熱媒である温水を空気加熱手段１０７と水加熱手段３とに分流して循環させる構成とすることによって、循環手段１によって循環する空気の加熱と水破砕手段２に供給される供給水の加熱の各々の加熱量の調整、すなわち温水の分流度合いの調整や温水供給の断続を容易に行うことができる。
【００４４】
（ヲ）また、本願の第１２の発明にかかるサウナ装置によれば、上記（ヘ）、（チ）、（リ）、（ヌ）または（ル）に記載した効果に加えて、循環手段１によって循環する空気を、空気加熱手段１０７で加熱した後に水破砕手段２で発生した微細水滴を含ませて加湿することによって、循環空気中に微細水滴をより多く含ませて加湿量を増加することができる。
【００４５】
（ワ）また、本願の第１３の発明にかかるサウナ装置によれば、上記（ヘ）、（チ）、（リ）、（ヌ）または（ル）に記載した効果に加えて、循環手段１によって循環する空気を、水破砕手段２で発生した微細水滴を含ませて加湿した後に空気加熱手段１０７で加熱することによって、循環空気の温度と露点温度との差を拡大して結露を抑制し、微細水滴をサウナ対象空間１０３の加湿に有効に使用することができる。
【発明を実施するための最良の形態】
【００４６】
以下、本発明の実施の形態について図面を参照しながら説明する。なお、従来の例と同一の構成要素については同一の符号を用い、詳細な説明は省略する。
【００４７】
（実施の形態１）
図１は、本発明の実施形態１にかかるサウナ装置の概略構成を示した図である。図１において、サウナ装置の本体１０１内に、サウナ対象室１０３の空気を循環させる循環手段１と、供給水を微細な水滴に破砕する水破砕手段２と、循環手段１により循環する空気を加熱する空気加熱手段１０７と、水破砕手段２に供給される供給水を加熱する水加熱手段３を設けた構成としている。循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための循環風路１０５と、循環風路１０５に空気を送風するための循環ファン１０６とを備えており、水破砕手段２は、給水配管４からの供給水をミスト状に噴出するミスト噴出手段１１０としての噴出ノズル１１１と、この噴出ノズル１１１から噴出したミストを更に細かく破砕するミスト破砕手段５を備えている。ミスト破砕手段５は、噴出ノズル１１１を循環ファン１０６の吸込口に向けて配置し、噴出ノズル１１１から噴出したミストを循環ファン１０６の吸込方向から循環ファン１０６に衝突させて破砕する構成としている。また、空気加熱手段１０７は、図示しない熱源機によって循環している温水を熱媒として空気を加熱する空気−水熱交換器６を備えており、この空気−水熱交換器６が循環風路１０５内の循環ファン１０６の吸込側に配置されている。水加熱手段３は、空気加熱手段１０７と同様に図示しない熱源機により循環している温水を熱媒として用いており、この温水によって給水配管４内の供給水を加熱する水−水熱交換器７を備えている。また、熱源機により循環する温水は、温水配管８によって空気−水熱交換器６、水−水熱交換器７の順に循環するように配管され、この温水配管８に温水の循環を断続させる熱動弁１０９を設けている。また、給水配管４にも噴出ノズル１１１への給水の供給を断続させる電磁弁１１３を設けた構成としている。
【００４８】
上記構成において、次に運転動作を説明する。図示しないコントローラーからの運転指示が為されると、循環ファン１０６を作動させるとともに、熱動弁１０９と電磁弁１１３を開状態にし、図示しない熱源機からの温水を空気−水熱交換器６から水−水熱交換器７を経て循環させるとともに給水配管４を通じて給水を行う。循環ファン１０６の作動によってサウナ対象室１０３の空気が吸気口１０２を通り、まず空気−水熱交換器６に供給される。この空気−水熱交換器６においてサウナ対象室１０３の空気は図示しない熱源機からの温水と熱交換して加熱され循環ファン１０６に吸込まれる。一方、空気と熱交換した温水は温度が下がって水−水熱交換器７に供給され、給水配管４を流れる供給水と熱交換を行った後に熱源機に戻る。水−水熱交換器７において温水との熱交換により加熱された供給水は噴出ノズル１１１に供給され循環ファン１０６の吸込口に向かってミスト状態となって噴出する。循環ファン１０６は、空気−水熱交換器６において加熱された空気とともに噴出ノズル１１１から噴出したミストを吸引する。循環ファン１０６に吸引されたミストは、循環ファン１０６の回転により更に細かく破砕されて微細水滴となり、加熱された空気中に含まれて循環ファン１０６から吐出する。循環ファン１０６から吐出した微細水滴を含んだ高温の空気は吹出口１０４を通ってサウナ対象室１０３に戻る。以上の動作を繰り返すことにより、水破砕手段２で発生した高温の微細水滴がサウナ対象室１０３に継続して供給されるので、サウナ対象室１０３が水滴感および冷風感なく加湿されるとともに、循環手段１により循環するサウナ対象室１０３の空気が空気−水熱交換器６で加熱されることによりサウナ対象室１０３が加熱されるので、サウナ対象室１０３が高温高湿のサウナ空間となる。
【００４９】
以上、説明した構成および動作により、本実施形態のサウナ装置は以下の効果を奏するものである。
【００５０】
水破砕手段２が供給水を破砕することによって発生した微細水滴を、循環手段１により循環するサウナ対象室１０３の空気に含ませることによって、水滴感を伴わずにサウナ対象室１０３を加湿することができる。これにより使用者が水滴感を感じずにサウナ対象室１０３内で快適に過ごすことができ、また、ミストによって使用者の視界が遮られることがないので、使用者がサウナ対象室１０３内で映像や読書を楽しむことができる。
【００５１】
また、ミスト噴出手段１１０が噴出したミストをミスト破砕手段５で更に細かく破砕することによって微細水滴を発生させることができる。これにより水破砕手段２をミスト噴出手段１１０とミスト破砕手段５による簡略な構成とすることができる。
【００５２】
また、ミスト噴出手段１１０が循環手段１の循環ファン１０６に向けてミストを噴出することによって、循環ファン１０６の回転によりミストを強制的に破砕し、更に細かな微細水滴を発生させることができる。これによりサウナ対象室１０３に細かな微細水滴を供給して水滴感なく加湿することができるとともに、サウナ対象室１０３の空気を循環させる循環手段１の一部を利用して水破砕手段２を構成できるため、装置を小型化することができる。
【００５３】
また、循環ファン１０６の吸込口に向けてミストを噴出することによって、循環ファン１０６の送風方向に沿ってミストを移動させ、ミストの衝突に伴う循環ファン１０６の送風抵抗を減少することができる。これにより、循環ファン１０６の動力が増加するのを抑制して消費電力を削減することができる。
【００５４】
また、循環手段１によって循環しているサウナ対象室１０３の空気を空気加熱手段１０７で加熱することによって、水滴感を伴わずにサウナ対象室１０３を加湿するとともに加熱することができる。これにより、サウナ対象室１０３を水滴感の少ない高温高湿のサウナ空間とすることができる。
【００５５】
また、水破砕手段２に供給される供給水を水加熱手段３で加熱することによって、水破砕手段２において高温の微細水滴を発生させることができる。これによりサウナ対象室１０３を水滴感および冷風感を伴わずに加湿することができる。
【００５６】
また、循環手段１によって循環しているサウナ対象室１０３の空気を空気加熱手段１０７で加熱することによりサウナ対象室１０３を加熱するとともに、水破砕手段２に供給される供給水を水加熱手段３で加熱することによって、水破砕手段２において高温の微細水滴を発生させて水滴感および冷風感を伴わずにサウナ対象室１０３を加湿することができる。さらに空気加熱手段１０７および水加熱手段３を、温水を熱媒として加熱を行う構成とすることによって、加熱作用を単一の熱媒回路により行うことが可能となり、構成を簡略化することができる。
【００５７】
また、熱媒である温水を空気加熱手段１０７、水加熱手段３の順に循環させることによって、単一の温水循環回路という簡易な構成において、循環手段１によって循環する空気の加熱と水破砕手段２に供給される供給水の加熱を行うことができる。さらに循環している空気をより高温に加熱することが可能となり、サウナ対象室１０３の加熱効果を高めることができる。
【００５８】
また、循環手段１によって循環する空気を、空気加熱手段１０７で加熱した後に水破砕手段２で発生した微細水滴を含ませて加湿することによって、循環空気中に微細水滴をより多く含ませて加湿量を増加することができる。
【００５９】
なお、本実施形態では、ミスト噴出手段１１０が噴出したミストを更に細かく破砕するミスト破砕手段５として、循環手段１の循環ファン１０６を用いたが、ミストを細かく破砕できるものであれば良いのであって、回転板等を別途設ける構成としても良い。
【００６０】
また、本実施形態では、ミスト噴出手段１１０を１個の噴出ノズル１１１にて構成したが、ミストを噴出できるものであれば良いのであって、噴出ノズルを複数設け、ミストの噴出を切り替えるように構成しても良い。
【００６１】
また、本実施形態では、空気加熱手段１０７を熱媒に温水を用いた空気−水熱交換器６を設ける構成としたが、空気加熱手段１０７は、空気を加熱できるものであれば良いのであって、ヒーターを用いて空気を加熱しても良く、あるいはヒーターと温水コイルを併用しても良い。
【００６２】
また、本実施形態では、水破砕手段２に供給される供給水を加熱する水加熱手段３として、熱媒に温水を用いた水−水熱交換器７を設ける構成としたが、水加熱手段３は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段３をサウナ装置内に設ける必要がないので装置を小型化することができる。
【００６３】
また、本実施形態では、サウナ対象室１０３に供給する微細水滴について具体的な水滴径を示していないが、この微細水滴の水滴径は使用者が目視確認できない程度の粒径であればよく、１０μｍ前後の水滴径であれば十分な効果を奏することができるものである。
【００６４】
（実施の形態２）
図２は、本発明の実施形態２にかかるサウナ装置の概略構成を示した図である。図２において、サウナ装置の本体１０１内に、サウナ対象室１０３の空気を循環させる循環手段１と、供給水を微細な水滴に破砕する水破砕手段２と、循環手段１により循環する空気を加熱する空気加熱手段１０７と、水破砕手段２に供給される供給水を加熱する水加熱手段３を設けた構成としている。循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための循環風路１０５と、循環風路１０５に空気を送風するための循環ファン１０６とを備えており、水破砕手段２は、給水配管４からの供給水をミスト状に噴出するミスト噴出手段１１０としての噴出ノズル１１１と、この噴出ノズル１１１から噴出したミストを更に細かく破砕するミスト破砕手段５を備えている。ミスト破砕手段５は、噴出ノズル１１１の噴出方向を循環ファン１０６の翼面外周に向けて配置し、噴出ノズル１１１から噴出したミストを循環ファン１０６の回転翼面に衝突させて破砕する構成としている。また、空気加熱手段１０７は、図示しない熱源機によって循環している温水を熱媒として空気を加熱する空気−水熱交換器６を備えており、この空気−水熱交換器６が循環風路１０５内の循環ファン１０６の吹出側に配置されている。水加熱手段３は、空気加熱手段１０７と同様に図示しない熱源機により循環している温水を熱媒として用いており、この温水によって給水配管４内の供給水を加熱する水−水熱交換器７を備えている。また、熱源機により循環する温水は、温水配管８によって水−水熱交換器７、空気−水熱交換器６の順に循環するように配管され、この温水配管８に温水の循環を断続させる熱動弁１０９を設けている。また、給水配管４にも噴出ノズル１１１への給水の供給を断続させる電磁弁１１３を設けた構成としている。
【００６５】
上記構成において、次に運転動作を説明する。図示しないコントローラーからの運転指示が為されると、循環ファン１０６を作動させるとともに、熱動弁１０９と電磁弁１１３を開状態にし、図示しない熱源機からの温水を水−水熱交換器７から空気−水熱交換器６を経て循環させるとともに給水配管４を通じて給水を行う。給水配管４からの供給水は、水−水熱交換器７において図示しない熱源機により循環する温水との熱交換により加熱される。加熱された供給水は噴出ノズル１１１に供給されて循環ファン１０６の翼面外周に向けてミスト状態となって噴出する。噴出ノズル１１１から噴出したミストは、循環ファンの回転翼面に衝突して破砕され、細かな微細水滴となって循環ファン１０６により送風されるサウナ対象室１０３の空気に含まれて空気−水熱交換器６に供給される。空気−水熱交換器６に供給された微細水滴を含む空気は、水−水熱交換器７において供給水と熱交換した後の温水と熱交換して加熱され、吹出口１０４を通ってサウナ対象室に戻る。一方、空気−水熱交換器６において熱交換した後の温水は図示しない熱源機に戻って循環する。以上の動作を繰り返すことにより、水破砕手段２で発生した高温の微細水滴がサウナ対象室１０３に継続して供給されるので、サウナ対象室１０３が水滴感および冷風感なく加湿されるとともに、循環手段１により循環するサウナ対象室１０３の空気が空気−水熱交換器６で加熱されることによりサウナ対象室１０３が加熱されるので、サウナ対象室１０３が高温高湿のサウナ空間となる。
【００６６】
以上、説明した構成および動作により、本実施形態のサウナ装置は以下の効果を奏するものである。
【００６７】
水破砕手段２が供給水を破砕することによって発生した微細水滴を、循環手段１により循環するサウナ対象室１０３の空気に含ませることによって、水滴感を伴わずにサウナ対象室１０３を加湿することができる。これにより使用者が水滴感を感じずにサウナ対象室１０３内で快適に過ごすことができ、また、ミストによって使用者の視界が遮られることがないので、使用者がサウナ対象室１０３内で映像や読書を楽しむことができる。
【００６８】
また、ミスト噴出手段１１０が噴出したミストをミスト破砕手段５で更に細かく破砕することによって微細水滴を発生させることができる。これにより水破砕手段２をミスト噴出手段１１０とミスト破砕手段５による簡略な構成とすることができる。
【００６９】
また、ミスト噴出手段１１０が循環手段１の循環ファン１０６に向けてミストを噴出することによって、循環ファン１０６の回転によりミストを強制的に破砕し、更に細かな微細水滴を発生させることができる。これによりサウナ対象室１０３に細かな微細水滴を供給して水滴感なく加湿することができるとともに、サウナ対象室１０３の空気を循環させる循環手段１の一部を利用して水破砕手段２を構成できるため、装置を小型化することができる。
【００７０】
また、循環ファン１０６の翼面外周に向けてミストを噴出することによって、循環ファン１０６の回転翼面にミストを直接衝突させて、より細かくミストを破砕することができる。これにより微細水滴をより細かくして水滴感を更に抑えることができる。
【００７１】
また、循環手段１によって循環しているサウナ対象室１０３の空気を空気加熱手段１０７で加熱することによって、水滴感を伴わずにサウナ対象室１０３を加湿するとともに加熱することができる。これにより、サウナ対象室１０３を水滴感の少ない高温高湿のサウナ空間とすることができる。
【００７２】
また、水破砕手段２に供給される供給水を水加熱手段３で加熱することによって、水破砕手段２において高温の微細水滴を発生させることができる。これによりサウナ対象室１０３を水滴感および冷風感を伴わずに加湿することができる。
【００７３】
また、循環手段１によって循環しているサウナ対象室１０３の空気を空気加熱手段１０７で加熱することによりサウナ対象室１０３を加熱するとともに、水破砕手段２に供給される供給水を水加熱手段３で加熱することによって、水破砕手段２において高温の微細水滴を発生させて水滴感および冷風感を伴わずにサウナ対象室１０３を加湿することができる。さらに空気加熱手段１０７および水加熱手段３を、温水を熱媒として加熱を行う構成とすることによって、加熱作用を単一の熱媒回路により行うことが可能となり、構成を簡略化することができる。
【００７４】
また、熱媒である温水を水加熱手段３、空気加熱手段１０７の順に循環させることによって、単一の温水循環回路という簡易な構成において、水破砕手段２に供給される供給水の加熱と循環手段１によって循環する空気の加熱を行うことができる。さらに供給水をより高温に加熱することが可能となり、サウナ対象室１０３の加湿に伴う冷風感の抑制効果を高めることができる。
【００７５】
また、循環手段１によって循環する空気を、水破砕手段２で発生した微細水滴を含ませて加湿した後に空気加熱手段１０７で加熱することによって、循環空気の温度と露点温度との差を拡大して結露を抑制し、微細水滴をサウナ対象空間１０３の加湿に有効に使用することができる。
【００７６】
なお、本実施形態では、ミスト噴出手段１１０が噴出したミストを更に細かく破砕するミスト破砕手段５として、循環手段１の循環ファン１０６を用いたが、ミストを細かく破砕できるものであれば良いのであって、回転板等を別途設ける構成としても良い。
【００７７】
また、本実施形態では、ミスト噴出手段１１０を１個の噴出ノズル１１１にて構成したが、ミストを噴出できるものであれば良いのであって、噴出ノズルを複数設け、ミストの噴出を切り替えるように構成しても良い。
【００７８】
また、本実施形態では、空気加熱手段１０７を熱媒に温水を用いた空気−水熱交換器６を設ける構成としたが、空気加熱手段１０７は、空気を加熱できるものであれば良いのであって、ヒーターを用いて空気を加熱しても良く、あるいはヒーターと温水コイルを併用しても良い。
【００７９】
また、本実施形態では、水破砕手段２に供給される供給水を加熱する水加熱手段３として、熱媒に温水を用いた水−水熱交換器７を設ける構成としたが、水加熱手段３は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段３をサウナ装置内に設ける必要がないので装置を小型化することができる。
【００８０】
また、本実施形態では、サウナ対象室１０３に供給する微細水滴について具体的な水滴径を示していないが、この微細水滴の水滴径は使用者が目視確認できない程度の粒径であればよく、１０μｍ前後の水滴径であれば十分な効果を奏することができるものである。
【００８１】
（実施の形態３）
図３は、本発明の実施形態３にかかるサウナ装置の概略構成を示した図である。図３において、サウナ装置の本体１０１内に、サウナ対象室１０３の空気を循環させる循環手段１と、供給水を微細な水滴に破砕する水破砕手段２と、循環手段１により循環する空気を加熱する空気加熱手段１０７と、水破砕手段２に供給される供給水を加熱する水加熱手段３を設けた構成としている。循環手段１は、サウナ対象室１０３に開口した吸気口１０２および吹出口１０４と、吸気口１０２を通してサウナ対象室１０３の空気を吸引し、吹出口１０４を通してサウナ対象室１０３に空気を吹出すための循環風路１０５と、循環風路１０５に空気を送風するための循環ファン１０６とを備えており、水破砕手段２は、給水配管４からの供給水をミスト状に噴出するミスト噴出手段１１０としての噴出ノズル１１１と、この噴出ノズル１１１から噴出したミストを更に細かく破砕するミスト破砕手段５を備えている。ミスト破砕手段５は、噴出ノズル１１１を循環ファン１０６の吸込口に向けて配置し、噴出ノズル１１１から噴出したミストを循環ファン１０６の吸込方向から循環ファン１０６に衝突させて破砕する構成としている。また、空気加熱手段１０７は、図示しない熱源機によって循環している温水を熱媒として空気を加熱する空気−水熱交換器６を備えており、この空気−水熱交換器６が循環風路１０５内の循環ファン１０６の吸込側および吹出側にまたがって配置されている。水加熱手段３は、空気加熱手段１０７と同様に図示しない熱源機により循環している温水を熱媒として用いており、この温水によって給水配管４内の供給水を加熱する水−水熱交換器７を備えている。また、熱源機により循環する温水は、温水配管８によって空気−水熱交換器６と水−水熱交換器７の各々に分流して循環するように配管され、この分流した温水配管８に各々の温水の循環を断続させる熱動弁１０９ａ、１０９ｂを設けている。また、給水配管４にも噴出ノズル１１１への給水の供給を断続させる電磁弁１１３を設けた構成としている。
【００８２】
上記構成において、次に運転動作を説明する。図示しないコントローラーからの運転指示が為されると、循環ファン１０６を作動させるとともに、空気−水熱交換器６の温水循環経路に設けられた熱動弁１０９ａ、水−水熱交換器７の温水循環経路に設けられた熱動弁１０９ｂと電磁弁１１３を開状態にし、図示しない熱源機からの温水を空気−水熱交換器６と水−水熱交換器７に分流して循環させるとともに給水配管４を通じて給水を行う。循環ファン１０６の作動によってサウナ対象室１０３の空気が吸気口１０２を通り、まず空気−水熱交換器６に供給される。この空気−水熱交換器６においてサウナ対象室１０３の空気は図示しない熱源機からの温水が分流した一方と熱交換して加熱され循環ファン１０６に吸込まれる。また、熱源機から分流した他方の温水は、熱動弁１０９ｂを経て水−水熱交換器７に供給され、給水配管４を流れる供給水と熱交換を行った後に空気−水熱交換器６を循環する温水と合流して熱源機に戻る。水−水熱交換器７において温水との熱交換により加熱された供給水は噴出ノズル１１１に供給され循環ファン１０６の吸込口に向かってミスト状態となって噴出する。循環ファン１０６は、空気−水熱交換器６において加熱された空気とともに噴出ノズル１１１から噴出したミストを吸引する。循環ファン１０６に吸引されたミストは、循環ファン１０６の回転により更に細かく破砕されて微細水滴となり、加熱された空気中に含まれて循環ファン１０６から吐出して空気−水熱交換器６に供給される。空気−水熱交換器６において微細水滴を含んだ空気は温水との熱交換により再び加熱され、吹出口１０４を通ってサウナ対象室１０３に戻る。以上の動作を繰り返すことにより、水破砕手段２で発生した高温の微細水滴がサウナ対象室１０３に継続して供給されるので、サウナ対象室１０３が水滴感および冷風感なく加湿されるとともに、循環手段１により循環するサウナ対象室１０３の空気が空気−水熱交換器６で加熱されることによりサウナ対象室１０３が加熱されるので、サウナ対象室１０３が高温高湿のサウナ空間となる。
【００８３】
また、サウナ対象室１０３の温度を下げたい場合は、熱動弁１０９ａを閉状態とすることにより、空気−水熱交換器６への温水の循環を遮断し、循環手段１により循環するサウナ対象室１０３の空気の加熱量を減らすことにより対応できる。
【００８４】
さらにサウナ対象室１０３の加湿による冷風感を抑制する必要がない場合は、熱動弁１０９ｂを閉状態とすることにより、水−水熱交換器７への温水の循環を遮断し、水破砕手段２への供給水の加熱量を減らすことにより対応できる。
【００８５】
以上、説明した構成および動作により、本実施形態のサウナ装置は以下の効果を奏するものである。
【００８６】
水破砕手段２が供給水を破砕することによって発生した微細水滴を、循環手段１により循環するサウナ対象室１０３の空気に含ませることによって、水滴感を伴わずにサウナ対象室１０３を加湿することができる。これにより使用者が水滴感を感じずにサウナ対象室１０３内で快適に過ごすことができ、また、ミストによって使用者の視界が遮られることがないので、使用者がサウナ対象室１０３内で映像や読書を楽しむことができる。
【００８７】
また、ミスト噴出手段１１０が噴出したミストをミスト破砕手段５で更に細かく破砕することによって微細水滴を発生させることができる。これにより水破砕手段２をミスト噴出手段１１０とミスト破砕手段５による簡略な構成とすることができる。
【００８８】
また、ミスト噴出手段１１０が循環手段１の循環ファン１０６に向けてミストを噴出することによって、循環ファン１０６の回転によりミストを強制的に破砕し、更に細かな微細水滴を発生させることができる。これによりサウナ対象室１０３に細かな微細水滴を供給して水滴感なく加湿することができるとともに、サウナ対象室１０３の空気を循環させる循環手段１の一部を利用して水破砕手段２を構成できるため、装置を小型化することができる。
【００８９】
また、循環ファン１０６の吸込口に向けてミストを噴出することによって、循環ファン１０６の送風方向に沿ってミストを移動させ、ミストの衝突に伴う循環ファン１０６の送風抵抗を減少することができる。これにより、循環ファン１０６の動力が増加するのを抑制して消費電力を削減することができる。
【００９０】
また、循環手段１によって循環しているサウナ対象室１０３の空気を空気加熱手段１０７で加熱することによって、水滴感を伴わずにサウナ対象室１０３を加湿するとともに加熱することができる。これにより、サウナ対象室１０３を水滴感の少ない高温高湿のサウナ空間とすることができる。
【００９１】
また、水破砕手段２に供給される供給水を水加熱手段３で加熱することによって、水破砕手段２において高温の微細水滴を発生させることができる。これによりサウナ対象室１０３を水滴感および冷風感を伴わずに加湿することができる。
【００９２】
また、循環手段１によって循環しているサウナ対象室１０３の空気を空気加熱手段１０７で加熱することによりサウナ対象室１０３を加熱するとともに、水破砕手段２に供給される供給水を水加熱手段３で加熱することによって、水破砕手段２において高温の微細水滴を発生させて水滴感および冷風感を伴わずにサウナ対象室１０３を加湿することができる。さらに空気加熱手段１０７および水加熱手段３を、温水を熱媒として加熱を行う構成とすることによって、加熱作用を単一の熱媒回路により行うことが可能となり、構成を簡略化することができる。
【００９３】
また、熱媒である温水を空気加熱手段１０７と水加熱手段３とに分流して循環させる構成とすることによって、循環手段１によって循環する空気の加熱と水破砕手段２に供給される供給水の加熱の各々の加熱量の調整、すなわち温水の分流度合いの調整や温水供給の断続を容易に行うことができる。
【００９４】
また、循環手段１によって循環する空気を、空気加熱手段１０７で加熱した後に水破砕手段２で発生した微細水滴を含ませて加湿することによって、循環空気中に微細水滴をより多く含ませて加湿量を増加することができる。
【００９５】
また、循環手段１によって循環する空気を、水破砕手段２で発生した微細水滴を含ませて加湿した後に空気加熱手段１０７で加熱することによって、循環空気の温度と露点温度との差を拡大して結露を抑制し、微細水滴をサウナ対象空間１０３の加湿に有効に使用することができる。
【００９６】
なお、本実施形態では、ミスト噴出手段１１０が噴出したミストを更に細かく破砕するミスト破砕手段５として、循環手段１の循環ファン１０６を用いたが、ミストを細かく破砕できるものであれば良いのであって、回転板等を別途設ける構成としても良い。
【００９７】
また、本実施形態では、ミスト噴出手段１１０を１個の噴出ノズル１１１にて構成したが、ミストを噴出できるものであれば良いのであって、噴出ノズルを複数設け、ミストの噴出を切り替えるように構成しても良い。
【００９８】
また、本実施形態では、空気加熱手段１０７を熱媒に温水を用いた空気−水熱交換器６を設ける構成としたが、空気加熱手段１０７は、空気を加熱できるものであれば良いのであって、ヒーターを用いて空気を加熱しても良く、あるいはヒーターと温水コイルを併用しても良い。
【００９９】
また、本実施形態では、水破砕手段２に供給される供給水を加熱する水加熱手段３として、熱媒に温水を用いた水−水熱交換器７を設ける構成としたが、水加熱手段３は、供給水を加熱できるものであれば良いのであって、ヒーターを用いて供給水を加熱しても良く、あるいはサウナ装置とは別に設けられた熱源から温水を給水しても同様の効果が得られる。そしてサウナ装置外部から温水を給水する場合は、水加熱手段３をサウナ装置内に設ける必要がないので装置を小型化することができる。
【０１００】
また、本実施形態では、サウナ対象室１０３に供給する微細水滴について具体的な水滴径を示していないが、この微細水滴の水滴径は使用者が目視確認できない程度の粒径であればよく、１０μｍ前後の水滴径であれば十分な効果を奏することができるものである。
【０１０１】
また、本実施形態では、空気−水熱交換器６と水−水熱交換器７の各々の温水循環経路に熱動弁１０９ａ、１０９ｂを各々設ける構成としたが、温水循環の断続が必要な何れか一方にのみ熱動弁を設けても良い。
【産業上の利用可能性】
【０１０２】
以上のように本発明にかかるサウナ装置は、微細な水滴によって水滴感を伴わずに加湿することにより、使用者が、水滴感を感じずに快適に過ごすことができ、また、ミストによって視界を遮られずに映像や読書を楽しむことができるサウナ空間を提供できるものであり、浴室や居室をサウナ空間とする場合に適している。
【図面の簡単な説明】
【０１０３】
【図１】本発明の実施形態１にかかるサウナ装置の概略構成を示した図
【図２】本発明の実施形態２にかかるサウナ装置の概略構成を示した図
【図３】本発明の実施形態３にかかるサウナ装置の概略構成を示した図
【図４】従来のサウナ装置の概略構成を示した図
【符号の説明】
【０１０４】
１      循環手段
２      水破砕手段
３      水加熱手段
５      ミスト破砕手段
１０３  サウナ対象室
１０６  循環ファン
１０７  空気加熱手段
１１０  ミスト噴出手段
【図１】
2006025964.tif 000003
【図２】
2006025964.tif 000004
【図３】
2006025964.tif 000005
【図４】
2006025964.tif 000006